(57)【要約】【課題】  電子機器の音声出力を構成する改良された方法及び装置を提供すること。【解決手段】  電子機器の１組の音声出力を構成する。ＳＰＤＩＦ受信機及びＨＤＭＩディスプレイのうちの少なくとも一方が電子機器に電気的に接続されているか否かを判断し、  ＳＰＤＩＦ受信機及びＨＤＭＩディスプレイのうちの少なくとも一方が電子機器に電気的に接続されている場合に、アナログ音声出力を自動的にミュートする。【選択図】  図６
2006121705.tif 000002
【特許請求の範囲】
【請求項１】
電子機器の１組の音声出力を構成する方法であって、
ＳＰＤＩＦ受信機及びＨＤＭＩディスプレイのうちの少なくとも一方が前記電子機器に電気的に接続されているか否かを判断するステップと、
ＳＰＤＩＦ受信機及びＨＤＭＩディスプレイのうちの少なくとも一方が前記電子機器に電気的に接続されている場合に、アナログ音声出力を自動的にミュートするステップと、
を含むことを特徴とする方法。
【請求項２】
ＳＰＤＩＦ受信機が前記電子機器に電気的に接続されているか否かを判断するステップと、
ＳＰＤＩＦ受信機が前記電子機器に電気的に接続されていない場合に、ＳＰＤＩＦ音声出力を自動的に使用不能にするステップと、
をさらに含むことを特徴とする請求項１に記載の方法。
【請求項３】
ＳＰＤＩＦ受信機及びＨＤＭＩディスプレイがともに前記電子機器に電気的に接続されているか否かを判断するステップと、
ＳＰＤＩＦ受信機及びＨＤＭＩディスプレイがともに前記電子機器に電気的に接続されている場合に、自動的にＳＰＤＩＦ音声出力を使用可能にし、かつＨＤＭＩ音声出力を使用不能にするステップと、
をさらに含むことを特徴とする請求項１に記載の方法。
【請求項４】
ＳＰＤＩＦ受信機及びＨＤＭＩディスプレイがともに前記電子機器に電気的に接続されているか否かを判断するステップと、
ＳＰＤＩＦ受信機及びＨＤＭＩディスプレイがともに前記電子機器に電気的に接続されている場合に、自動的にＨＤＭＩ音声出力を使用可能にし、かつＳＰＤＩＦ音声出力を使用不能にすること
をさらに含むことを特徴とする請求項１に記載の方法。
【請求項５】
電子機器の１組の音声出力を構成する方法であって、
ＳＰＤＩＦ受信機及びＨＤＭＩディスプレイのうちの少なくとも一方が前記電子機器に電気的に接続されているか否かを判断するステップと、
ＳＰＤＩＦ受信機及びＨＤＭＩディスプレイのうちの少なくとも一方が前記電子機器に電気的に接続されている場合に、割込み信号を生成するステップと、
前記割込み信号に応じて１組の所定のユーザ嗜好を調べるステップと、
前記１組の所定のユーザ嗜好に従って、前記１組の音声出力における音声出力の第１のサブセットを使用可能にし、かつ前記１組の音声出力における音声出力の第２のサブセットを使用不能にするステップと、
を含むことを特徴とする方法。
【請求項６】
電子機器であって、
１組の音声出力を有する音声サブシステムと、
ＳＰＤＩＦ受信機及びＨＤＭＩディスプレイのうちの少なくとも一方が前記電子機器に電気的に接続されているか否かを判断するように構成される検出ロジックと、
前記検出ロジックが、前記電子機器がＳＰＤＩＦ受信機及びＨＤＭＩディスプレイのうちの少なくとも一方に電気的に接続されていると判断した場合に、アナログ音声出力を自動的に使用不能にするように構成される音声出力構成ロジックと、
を具備することを特徴とする電子機器。
【請求項７】
電子機器であって、
１組の音声出力を有する音声サブシステムと、
ＳＰＤＩＦ受信機及びＨＤＭＩディスプレイのうちの少なくとも一方が前記電子機器に電気的に接続されているか否かを判断する検出ロジックであって、ＳＰＤＩＦ受信機及びＨＤＭＩディスプレイのうちの少なくとも一方が前記電子機器に電気的に接続されている場合に、割込み信号を生成するように構成される検出ロジックと、
前記割込み信号に応じて１組の所定のユーザ嗜好を調べる音声出力構成ロジックであって、前記１組の所定のユーザ嗜好に従って前記１組の音声出力における音声出力の第１のサブセットを使用可能にし、かつ前記１組の音声出力における音声出力の第２のサブセットを使用不能にするように構成される音声出力構成ロジックと、
を具備する電子機器。
【発明の詳細な説明】
【技術分野】
【０００１】
本発明は、包括的には電子機器に関し、特に、かかる機器の音声出力を自動的に構成(configuring)する技法に関する。
【背景技術】
【０００２】
電子機器には、デジタル音声出力及びアナログ音声出力の両方を有するものがある。アナログ音声出力は、１組の内部（内蔵）スピーカを駆動し、又は「ラインアウト」ジャックに供給される場合が多い。一般的には、電子機器のアナログ出力（たとえば、ヘッドフォン又はラインアウトジャック）に外部機器又は１組の外部スピーカが接続されると、内部スピーカを自動的に使用不能にする（ミュートする）。
【発明の開示】
【発明が解決しようとする課題】
【０００３】
ノートブックコンピュータ等の電子機器をたとえばホームシアターシステムに接続する際、ほとんどのユーザは、機器の内蔵スピーカではなくホームシアターシステムとのデジタル音声接続の方を好む。デジタル音声規格の例には、ソニー／フィリップス・デジタル・インタフェース・フォーマット（Sony-Philips Digital Interface Format）（ＳＰＤＩＦ）及び高解像度マルチメディア・インタフェース（High-Definition Multimedia Interface）（ＨＤＭＩ）がある。不都合なことに、現行の電子機器では、デジタル音声対応機器が接続されるとユーザはアナログ音声出力（内部スピーカ又はラインアウトジャック）を手動で使用不能にする必要がある。
【０００４】
したがって、当該技術分野において電子機器の音声出力を構成する改良された方法及び装置が必要であることは明らかである。
【課題を解決するための手段】
【０００５】
電子機器の１組の音声出力を構成する方法を提供する。本方法は、デジタル音声接続を自動的に検出し、アプリケーションに応じて、自動的に電子機器のアナログ音声出力をミュートすること、又は音声出力がいかに構成されるべきかを指定する１組の所定のユーザ嗜好（preference）を調べることを含むいくつかの異なる方法で、検出されたデジタル音声接続に応答することができる。本方法を実施する装置もまた提供する。
【０００６】
本発明の他の態様及び利点は、本発明の原理を例として示す添付図面と共に以下の詳細な説明から明らかとなろう。
【発明を実施するための最良の形態】
【０００７】
アナログ音声出力及びデジタル音声出力をともに有する電子機器は、機器とのデジタル音声接続が検出された時に１つ又は複数のアナログ音声出力（たとえば、内部スピーカ又はラインアウトジャック）を自動的に使用不能にする機能を機器に含めることにより、より便利に使用することができる。かかる状況ではまた、電子機器の１つ又は複数のデジタル音声出力を自動的に使用可能にしてもよい。デジタル音声接続が検出された時に１組の所定のユーザ嗜好を調べることにより、柔軟性を向上させることができる。電子機器の音声出力（アナログ及びデジタル）を、１組の所定のユーザ嗜好に従って構成（たとえば、使用可能に又は使用不能に）してもよい。デジタル音声接続が複数の外部デジタル機器への接続を含む場合、電子機器の特定のデジタル音声出力を他の音声出力に対して優先してもよい。状況によっては、電子機器と特定の外部デジタル機器（たとえば、ＳＰＤＩＦ受信機）との間の接続がないことにより、電子機器の対応するデジタル音声出力を使用不能にすることによって電子機器の電力を節約することができる。
【０００８】
図１は、本発明の例示的な一実施形態による、ソニー／フィリップス・デジタル・インタフェース・フォーマット（ＳＰＤＩＦ）受信機１０５及び高解像度マルチメディア・インタフェース（ＨＤＭＩ）ディスプレイ１１０に接続された電子機器１００のブロック図である。この詳細な説明を通して、「デジタル音声接続」は、電子機器１００と（１）ＳＰＤＩＦ受信機１０５、（２）ＨＤＭＩディスプレイ１１０又は（３）両方との間の電気接続を意味する。ＳＰＤＩＦ及びＨＤＭＩデジタル音声フォーマットは当業者には既知であり、それらの仕様はハードウェア開発者及びソフトウェア開発者には容易に入手可能である。ＳＰＤＩＦフォーマットは、デジタル音声を逐次、多重化して送信する。ＨＤＭＩフォーマットは、ビデオ及びデジタル音声をともにサポートし、デジタル・バーサタイル・ディスク（ＤＶＤ）プレイヤ及び同様の機器で広く使用されている。図１において、電子機器１００は、ＳＰＤＩＦ音声出力１２０及びＨＤＭＩ音声出力１２５を有する音声サブシステム１１５を有する。ＳＰＤＩＦ音声出力１２０は、ＳＰＤＩＦ受信機１０５に接続される。ＨＤＭＩ音声出力１２５は、ＨＤＭＩディスプレイ１１０に接続される。ＨＤＭＩディスプレイ１１０は、電子機器１００からビデオデータ及びデジタル音声データをともに受け取ることができる。しかしながら、図１の簡易ブロック図では、デジタル音声部分（ＨＤＭＩ音声出力１２５）のみを示す。音声サブシステム１１５はまた、増幅器１３５に供給されるアナログ音声出力１３０も有する。増幅器１３５は内部スピーカ１４０を駆動する。
【０００９】
電子機器１００は、少なくとも１つのアナログ音声出力と少なくとも１つのデジタル音声出力（たとえば、ＳＰＤＩＦ又はＨＤＭＩ）とを有する任意の電子機器であってもよい。かかる電子機器１００の例には、限定されないが、デスクトップコンピュータ、ノートブックコンピュータ、携帯情報端末（ＰＤＡ）及びポータブルＤＶＤプレイヤがある。図１では、電子機器１００を、ＳＰＤＩＦ受信機１０５及びＨＤＭＩディスプレイ１１０の両方に接続されているように示す。実施形態によっては、２つのデジタル接続のうちの一方しか存在しなくてもよい。音声サブシステム１１５は、音声コーデックと、図１には示さない他のコンポーネントと、を含んでもよい。
【００１０】
図２は、本発明の例示的な一実施形態による電子機器１００の機能ブロック図である。コントローラ２０５（たとえば、マイクロプロセッサ又はマイクロコントローラ）は、データバス２１０によりメモリ２１５、検出ロジック２２０、音声サブシステム１１５、オプションのビデオサブシステム２２５及び音声出力構成ロジック（audio output configuration logic ）２３０と通信する。メモリ２１５は、ランダムアクセスメモリ（ＲＡＭ）、リードオンリメモリ（ＲＯＭ）又は両方を含んでもよい。ビデオサブシステム２２５は、電子機器１００に接続されるか又はそれに組み込まれる１つ又は複数のディスプレイ（図２には図示せず）を駆動してもよい。
【００１１】
検出ロジック２２０及び音声出力構成ロジック２３０は、図２に示すように事実上完全に機能的であり、多種多様な方法で実装してもよく、それらはすべて請求するような本発明の範囲内にあるとみなされる。電子機器１００の他の態様と同様に、これらの機能を、ソフトウェア、ハードウェア、ファームウェア又はそれらの任意の組合せで実装してもよい。検出ロジック２２０は、ＳＰＤＩＦ受信機１０５、ＨＤＭＩディスプレイ１１０又はそれら両方が電子機器１００に電気的に接続されているか否かを自動的に判断することができる。実施形態によっては、検出ロジック２２０は、コントローラ２０５とは別個に動作するハードウェア（たとえば、組合せロジック）を含んでもよい。他の実施形態では、検出ロジック２２０は、デジタル音声接続が存在することをコントローラ２０５が実行するアプリケーションに通知する割込みを生成してもよい。検出ロジック２２０が、デジタル音声接続が存在することを判断すると、音声出力構成ロジック２３０は、自動的に、電子機器１００のいくつかの音声出力（たとえば、内部スピーカ）を使用不能にし、他を使用可能にしてもよい。実施形態によっては、音声出力構成ロジック２３０は、コントローラ２０５を関与させることなく音声出力を直接ミュートするか又は使用可能にするハードウェアを含んでもよい。他の実施形態では、音声出力構成ロジック２３０は、コントローラ２０５が実行する格納されたプログラムコードを含んでもよい。たとえば、音声出力構成ロジック２３０は、検出ロジック２２０からの割込みに応答して電子機器１００の音声出力（１２０、１２５及び１３０）を構成してもよい。検出ロジック２２０及び音声出力構成ロジック２３０の例示的なインプリメンテーションについては、この詳細な説明の後の部分で説明する。
【００１２】
図３は、本発明の例示的な一実施形態による、ＳＰＤＩＦ受信機１０５及びＨＤＭＩディスプレイ１１０に接続された電子機器１００のより詳細な図である。図３の例示的なインプリメンテーションでは、ＳＰＤＩＦ音声出力１２０は、ＮＰＮトランジスタ３０５から取り出される。抵抗器Ｒ４は、電子機器１００及びＳＰＤＩＦ受信機１０５それぞれのＲＣＡジャック３１０間にケーブルが接続されていない時、トランジスタ３０５の出力を電源電圧（たとえば３．３Ｖ）にバイアスする。かかるケーブルが接続されると、ＳＰＤＩＦ受信機１０５の７５Ω負荷により、ＳＰＤＩＦ音声出力１２０はより低い最大レベル（たとえば０．５Ｖ）まで降下する。７５Ω負荷によるこのレベルの降下を、ＡＮＤゲート３１５が検知することができ、その出力において「ロー」（論理「０」）をもたらす。さらに、ＨＤＭＩ検出信号３２０もまたＡＮＤゲート３１５に供給してもよい。電子機器１００にＨＤＭＩディスプレイ１１０が接続されると、ＨＤＭＩ検出信号３２０をローにアサートしてもよい。ＨＤＭＩ検出信号３２０を実装するいくつかの例示的な方法については後述する。図３に示すように、デジタル音声接続が存在することにより、ＡＮＤゲート３１５は低電圧レベルを出力する。ＡＮＤゲート３１５の出力を、増幅器１３５のミュート入力３２５に接続してもよい。ミュート入力３２５がローである場合、増幅器１３５は内部スピーカ１４０にそのアナログ信号を出力しない（すなわち、内部スピーカ１４０は使用不能になる）。
【００１３】
図３の実施形態では、ＨＤＭＩ音声出力１２５は、音声サブシステム１１５からＨＤＭＩ送信機３３０に供給される。この構成では、ＳＰＤＩＦ音声出力１２０及びＨＤＭＩ音声出力１２５は、共通のＳＰＤＩＦ音声出力からの２つの分岐信号である（すなわち、それらは共通の音声エンジンを共有する）。他の実施形態では、ＨＤＭＩ送信機３３０は、ＳＰＤＩＦ音声出力１２０とは別のソースからデジタル音声を受け取ってもよい。ＨＤＭＩ送信機３３０のミキサ３３５は、音声サブシステム１１５のＳＰＤＩＦ音声出力（ＨＤＭＩ音声出力１２５）をビデオサブシステム２２５の出力と結合することにより、遷移最小化差動信号（Transition Minimized Differential Signaling）（ＴＭＤＳ）データストリーム３３７を形成することができる。ＨＤＭＩ送信機はまた、集積回路間規格（Inter-Integrated Circuit Standard：Ｉ２Ｃ規格）（ＩＩＣ）バス３４０及びホットプラグ検出（ＨＰＤ）信号３４５も含む。ＴＭＤＳデータストリーム３３７、ＩＩＣバス３４０及びＨＰＤ信号３４５を、電子機器１００のＨＤＭＩインタフェース３３９を介してＨＤＭＩディスプレイ１１０に接続してもよい。ＨＤＭＩディスプレイ１１０は、拡張ディスプレイ認識データ（Extended Display Identification Data）（ＥＤＩＤ）ＲＯＭ３５０を有し、それは、他にもあるが特にＨＤＭＩディスプレイ１１０の音声能力に関する詳細を含む。
【００１４】
少なくとも２つの手法を使用して、電子機器１００とＨＤＭＩディスプレイ１１０との間の接続を検出することができる。第１の手法では、ＨＰＤ信号３４５を使用してもよい。電子機器１００がＨＤＭＩインタフェース３３９を介してＨＤＭＩディスプレイ１００に接続されると、ＨＰＤ信号３４５は接地電位まで引き下げられる。したがって、ＨＰＤ信号３４５を直接ＨＤＭＩ検出信号３２０として使用してもよい。別法として、コントローラ２０５が実行するソフトウェア又はファームウェアが、ＥＤＩＤ  ＲＯＭ３５０を読み出すことによってＨＤＭＩディスプレイ１１０の音声能力を確認してもよい。それにしたがって、ソフトウェア又はファームウェアは、適当なハードウェアと共に、ＨＤＭＩ検出信号３２０を生成してもよい。コントローラ２０５がＥＤＩＤ  ＲＯＭ３５０を読み出し得る方法を図４に示す。
【００１５】
図４は、本発明の例示的な一実施形態によるＨＤＭＩ接続の簡易ブロック図である。図４において、電子機器１００のＨＤＭＩ送信機３３０は、ＴＭＤＳデータストリーム３３７及びディスプレイ・データ・チャネル（Display Data Channel）（ＤＤＣ）４１０の両方を介してＨＤＭＩ受信機４０５に接続される。ＤＤＣ４１０にはまた、データバス２１０によりコントローラ２０５もアクセス可能であり、それによりコントローラ２０５は、ＥＤＩＤ  ＲＯＭ３５０を読み出してＨＤＭＩディスプレイ１１０の音声能力を確認することができる。明確にするために、当業者には既知であるＨＤＭＩ接続の他の詳細については図４では省略している。
【００１６】
図５は、本発明の別の例示的な実施形態によるＳＰＤＩＦ受信機１０５及びＨＤＭＩディスプレイ１１０に接続された電子機器１００のより詳細な図である。この実施形態では、ＡＮＤゲート３１５の出力は音声サブシステム１１５の割込み入力に供給される。ＡＮＤゲート３１５の出力がローである場合、音声サブシステム１１５は割込み５０５を生成してもよく、それによりプログラムコード５１０（たとえば、アプリケーションプログラム）に対しＳＰＤＩＦ受信機１０５、ＨＤＭＩディスプレイ１１０又はそれら両方が電子機器１００に電気的に接続されていることが通知される。プログラムコード５１０の一態様であってもよい音声出力構成ロジック２３０は、１組の所定のユーザ嗜好（図５には図示せず）を調べることにより割込み５０５に応答してもよい。１組の所定のユーザ嗜好は、デジタル音声接続が存在する場合、電子機器１００のいずれの音声出力が使用可能となるべきかと、いずれが使用不能となるべきかと、を指定してもよい。そして、音声出力構成ロジック２３０は、１組の所定のユーザ嗜好に従って電子機器１００の各音声出力を構成（使用可能又は使用不能に）してもよい。
【００１７】
図３及び図５において、検出ロジック２２０は、ＡＮＤゲート３１５に入力される信号を含む。図３の実施形態では、音声出力構成ロジック２３０は、ＡＮＤゲート３１５の出力と、増幅器１３５のミュート入力３２５とのその接続と、を含む。音声出力構成ロジック２３０はまた、対応する外部機器が電子機器１００に接続された時に、ＳＰＤＩＦ音声出力１２０及びＨＤＭＩ音声出力１２５等の１つ又は複数のデジタル音声出力を使用可能にするプログラムコード又は他のロジックを含んでもよい。図５では、音声出力構成ロジック２３０は、コントローラ２０５及びプログラムコード５１０を含み、プログラムコード５１０は、音声サブシステム１１５及びＨＤＭＩ送信機３３０と通信することにより、１組の所定のユーザ嗜好に従ってＳＰＤＩＦ音声出力１２０、ＨＤＭＩ音声出力１２５及びアナログ音声出力１３０を使用可能又は使用不能にする。明確にするために、図５には、コントローラ２０５、音声サブシステム１１５及びＨＤＭＩ送信機３３０間の接続の詳細のすべては示していない。
【００１８】
図３及び図５に示す例示的な実施形態の変形では、検出ロジック２２０は、図３及び図５に示すように検出信号を論理的に結合するのではなく、ＳＰＤＩＦ受信機１０５又はＨＤＭＩディスプレイ１１０が電子機器１００に電気的に接続される否かを別個に判断してもよい。外部機器接続を別個に検出することにより、特定の外部デジタル機器の有無に応じて異なる動作を行うことができる。たとえば、ＳＰＤＩＦ受信機１０５が電子機器１００に電気的に接続されていない場合、ＳＰＤＩＦ音声出力１２０を生成する音声サブシステム１１５の部分（たとえば、音声コーデックの関連するロジック）を使用不能としてもよい。ＳＰＤＩＦ受信機１０５が接続されていない場合にＳＰＤＩＦ音声出力１２０を使用不能とすることにより、電力が節約され、それは、ＰＤＡ等の携帯機器において重要であり得る。
【００１９】
別の変形では、検出ロジック２２０は、ＳＰＤＩＦ受信機１０５及びＨＤＭＩディスプレイ１１０が共に電子機器１００に同時に電気的に接続されているか否かを判断してもよい。たとえば、図３及び図５においてＡＮＤゲート３１５に入力される同じ信号をＯＲゲートに供給することにより、両入力がローである場合にローである出力を生成してもよい。両方の外部機器が電子機器１００に接続されている場合、アプリケーションによっては、一方のデジタル音声出力を使用可能にし他方を使用不能にすることが有利な場合がある。すなわち、ＳＰＤＩＦ音声出力１２０は、ＨＤＭＩ音声出力１２５より優先されてもよく、又はその逆であってもよい。特定のデジタル音声出力を使用可能又は使用不能にすることは、たとえば、上で説明したようにコントローラ２０５を介してソフトウェア又はファームウェア制御下で行ってもよい。
【００２０】
図６は、本発明の例示的な一実施形態による電子機器１００の１組の音声出力を構成する方法のフローチャートである。６０５において、検出ロジック２２０は、ＳＰＤＩＦ受信機１０５が電子機器１００に電気的に接続されているか否かを判断する。接続されていない場合、音声出力構成ロジック２３０は、図６に示すように、６１０において必要に応じてＳＰＤＩＦ音声出力１２０を使用不能にしてもよい。上述したように、６１０のステップでは、ＳＰＤＩＦ受信機１０５及びＨＤＭＩディスプレイ１１０との接続を別個に検出することができることが必要である。６０５においてＳＰＤＩＦ受信機１０５が接続されている場合、６２０において音声出力構成ロジック２３０はアナログ音声出力１３０をミュートしてもよい。６１５においてＨＤＭＩディスプレイ１１０が電子機器１００に電気的に接続されている場合、プロセスはこの場合もまた６２０に進み、そこでアナログ音声出力１３０をミュートしてもよい。必要に応じて、６２５において、音声出力構成ロジック２３０は、ＳＰＤＩＦ音声出力１２０及びＨＤＭＩ音声出力１２５等の１つ又は複数のデジタル音声出力を使用可能にしてもよい。そして、６３０においてプロセスは終了してもよい。
【００２１】
図７は、本発明の別の例示的な実施形態による電子機器１００の１組の音声出力を構成する方法のフローチャートである。図７の上部は、図６と同様である。６０５及び６１５において、ＳＰＤＩＦ受信機１０５、ＨＤＭＩディスプレイ１１０又はそれら両方が電子機器１００に電気的に接続されている場合、７０５において検出ロジック２２０は割込み信号５０５を生成してもよい。７１０において、音声出力構成ロジック２３０は、１組の所定のユーザ嗜好を調べ、７１５において、その１組の所定のユーザ嗜好に従って音声出力（たとえば、１２０、１２５及び１３０）を使用可能又は使用不能にしてもよい。プロセスは７２０において終了してもよい。
【００２２】
図８は、本発明のさらに別の例示的な実施形態による電子機器１００の１組の音声出力を構成する方法のフローチャートである。電子機器１００が、６０５においてＳＰＤＩＦ受信機１０５に電気的に接続されており同時に８０５においてＨＤＭＩディスプレイ１１０に電気的に接続されている場合、８１０において、優先されるデジタル音声出力（ＳＰＤＩＦ音声出力１２０又はＨＤＭＩ音声出力１２５）を使用可能にしてもよい。６２０において、アナログ音声出力１３０を自動的にミュートしてもよい。６０５において電子機器１００がＳＰＤＩＦ受信機１０５に電気的に接続されていない場合、６１０においてＳＰＤＩＦ音声出力１２０を必要に応じて使用不能にしてもよい。しかしながら、６１５において電子機器１００がＨＤＭＩディスプレイ１１０に電気的に接続されている場合、６２５において１つ又は複数のデジタル音声出力（たとえばＨＤＭＩ音声出力１２５）を自動的に使用可能にしてもよい。８１５においてプロセスは終了する。
【００２３】
本発明の上述した説明を、例示及び説明の目的で提示した。それは、網羅的であるように、又は本発明を開示した厳密な形態に限定するようには意図されておらず、上記教示に鑑みて、他の変更及び変形が可能である。実施形態を選択し説明して、本発明の原理とその実際的な適用とを最もよく説明することにより、当業者が、企図された特定の使用に適するよう、本発明をさまざまな実施形態及びさまざまな変更形態において最もよく利用することができる。添付の特許請求の範囲は、従来技術によって限定される場合を除き、本発明の他の代替実施形態を包含するように解釈されることが意図されている。
【図面の簡単な説明】
【００２４】
【図１】本発明の例示的な一実施形態によるＳＰＤＩＦ受信機及びＨＤＭＩディスプレイに接続された電子機器のブロック図である。
【図２】本発明の例示的な一実施形態による電子機器の機能ブロック図である。
【図３】本発明の例示的な一実施形態によるＳＰＤＩＦ受信機及びＨＤＭＩディスプレイに接続された電子機器のより詳細な図である。
【図４】本発明の例示的な一実施形態によるＨＤＭＩ接続の簡易ブロック図である。
【図５】本発明の別の例示的な実施形態によるＳＰＤＩＦ受信機及びＨＤＭＩディスプレイに接続された電子機器のより詳細な図である。
【図６】本発明の例示的な一実施形態による電子機器の１組の音声出力を構成する方法のフローチャートである。
【図７】本発明の別の例示的な実施形態による電子機器の１組の音声出力を構成する方法のフローチャートである。
【図８】本発明のさらに別の例示的な実施形態による電子機器の１組の音声出力を構成する方法のフローチャートである。
【符号の説明】
【００２５】
１００  電子機器
１０５  ＳＰＤＩＦ受信機
１１０  ＨＤＭＩディスプレイ
１１５  音声サブシステム
２０５  コントローラ
２１５  メモリ
２２０  検出ロジック
２２５  ビデオサブシステム
２３０  音声出力構成ロジック
３２５  ミュート
３３０  ＨＤＭＩ送信機
３３５  ミキサ
４０５  ＨＤＭＩ受信機
【図１】
2006121705.tif 000003
【図２】
2006121705.tif 000004
【図３】
2006121705.tif 000005
【図４】
2006121705.tif 000006
【図５】
2006121705.tif 000007
【図６】
2006121705.tif 000008
【図７】
2006121705.tif 000009
【図８】
2006121705.tif 000010